(57)【要約】【課題】  電子部品間の接続関係に基づいて、図面データベースから所望の接続データに対応した図面情報を検索することのできる、検索装置を得ることを目的とする。【解決手段】  任意の接続図データから選択されたキー部品の中から、少なくとも２つのキー部品間の接続データをキー接続データとして抽出するキー接続データ抽出部と、キー接続データ抽出部で抽出されたキー接続データを検索キーとして、接続図データベースに格納された接続図データを探索し、少なくとも２つのキー接続データを含む接続図データを抽出する接続図データ検索部と、接続図データ検索部により抽出された接続図データをディスプレイに表示する表示部とを備える。【選択図】        図１
2008242588.tif 000002
【特許請求の範囲】
【請求項１】
任意の接続図データから選択されたキー部品の中から、少なくとも２つのキー部品間の接続データをキー接続データとして抽出するキー接続データ抽出部と、
キー接続データ抽出部で抽出されたキー接続データを検索キーとして、接続図データベースに格納された接続図データを探索し、少なくとも２つのキー接続データを含む接続図データを抽出する接続図データ検索部と、
接続図データ検索部により抽出された接続図データをディスプレイに表示する表示部と、
を備えた接続図検索装置。
【請求項２】
任意の接続図データから選択されたキー部品の中から、少なくとも２つのキー部品間の接続データをキー接続データとして抽出するキー接続データ抽出部と、
キー接続データ抽出部で抽出されたキー接続データを検索キーとして、不具合データベースの不具合データを探索し、キー接続データに対応した不具合データを抽出する不具合データ検索部と、
接続図データ検索部により抽出された不具合データを、キー接続データに対応付けてディスプレイに表示する表示部と、
を備えた接続図検索装置。
【発明の詳細な説明】
【技術分野】
【０００１】
この発明は、電気回路設計ＣＡＤソフトウェア(以下、ＣＡＤ)により作成された接続図の接続データから、所定の接続データを検索するための接続図検索装置に関する。
【背景技術】
【０００２】
近年、ＣＡＤを用いて、電子部品の電気的接続関係を示す接続図の接続データを作成し、作成した接続データをデータベースに格納して利用する、図面の電子化技術が普及している。また、キーワードを用いてデータベースに格納された図面データを検索し、検索した図面データをディスプレイに表示することが一般的に行われている。
【０００３】
例えば、図面の合理性検査エラー情報又は回路要素一覧情報から自動で該当図面を検索し、該当する回路要素及び属性を画面上で確認することができるＣＡＤシステムが知られている（特許文献１参照）。
【０００４】
【特許文献１】特開２００３−１３２１１４
【発明の開示】
【発明が解決しようとする課題】
【０００５】
従来、設計者がＣＡＤを用いて接続図の図面を作成するにあたり、図面データベースに存在する、過去に作成された接続データを流用しようとしたとする。この場合、設計者は、接続データを構成する電子部品シンボルの部品名称を検索キーとして設定し、指定された検索キーの部品を多く使用している接続図を検索していた。
【０００６】
例えば、使用している部品を検索キーに設定することにより、比較的回路特性が似ているであろう全ての図面を検索し、検索にヒットした接続データの一つ一つについて、ＣＡＤを利用してディスプレイに表示した後、設計者が作成したい同様の回路図かどうかを確認することが行われる。
【０００７】
しかし、部品名称のみを検索キーとして図面データベースを検索する場合、電子部品間の接続関係が、調べたい所望の接続関係とは異なる場合があり、必要とする接続図にたどり着くまでに、検索と図面表示を何度も繰り返す必要があり、検索の効率が悪いという問題があった。
【０００８】
また、過去に不具合を生じた接続データを調べたい場合であっても、不具合情報が使用した電子部品や不具合の発生事象をキータームとして検索することしかできず、電子部品間の接続間違いをキータームとして不具合事象を検索することができないという問題があった。況してや、回路特性を代表する接続データを用いて、過去の不具合事例を検索することはできなかった。
【０００９】
この発明は、係る課題を解決するために為されたものであり、電子部品間の接続関係に基づいて、図面データベースから所望の接続データに対応した図面情報を検索することのできる、検索装置を得ることを目的とする。
【課題を解決するための手段】
【００１０】
この発明による接続図検索装置は、任意の接続図データから選択されたキー部品の中から、少なくとも２つのキー部品間の接続データをキー接続データとして抽出するキー接続データ抽出部と、キー接続データ抽出部で抽出されたキー接続データを検索キーとして、接続図データベースに格納された接続図データを探索し、少なくとも２つのキー接続データを含む接続図データを抽出する接続図データ検索部と、接続図データ検索部により抽出された接続図データをディスプレイに表示する表示部と、を備えたものである。
【００１１】
また、任意の接続図データから選択されたキー部品の中から、少なくとも２つのキー部品間の接続データをキー接続データとして抽出するキー接続データ抽出部と、キー接続データ抽出部で抽出されたキー接続データを検索キーとして、不具合データベースの不具合データを探索し、キー接続データに対応した不具合データを抽出する不具合データ検索部と、接続図データ検索部により抽出された不具合データを、キー接続データに対応付けてディスプレイに表示する表示部と、を備えたものであっても良い。
【発明の効果】
【００１２】
この発明によれば、ＣＡＤにより設計された接続図データベースから、回路特性上キーとなる電子部品の接続データに基づいて、所望の接続データを検索することが可能となる。
【００１３】
また、接続データを検索キーとして、検索した接続データに対応した不具合事象を調べることが可能となる。
【発明を実施するための最良の形態】
【００１４】
この発明に係る実施の形態では、電気回路設計ＣＡＤソフトウェア（以下、ＣＡＤ）で設計された接続図に含まれるキー部品の接続データを、接続データキーとして接続図に関連付けし、図面データベースに格納する。これによって、電気回路設計者（以下、設計者）がＣＡＤにより作成した接続図の接続データから、回路特性上キーとなる電子部品の接続データ（以下、接続データキー）を抽出した後、図面データベースから接続データキーに対応した接続データを検索することのできる、接続図検索装置を提供するものである。以下、図を用いて実施の形態１、２について説明する。
【００１５】
実施の形態１．
図１は、実施の形態１に係る接続図検索装置の構成を示す機能ブロック図であり、図１（ａ）は機能ブロック図、（ｂ）は図面データベースに格納される図面情報の例を示すものである。設計者は、この装置を使用して接続図の接続データ８を作成するとともに、所望の接続図の接続データを検索する。図において、接続図検索装置は、計算機３と、入力装置１と、主記憶装置２と、ディスプレイ４と、ＣＡＤ装置５と、図面データベース（図面ＤＢ）６を備えて構成される。
【００１６】
入力装置１は、キーボード、マウスなどから構成される。主記憶装置２は、計算機３が処理するＣＡＤの接続データや、キー部品リストデータなどを記憶している。計算機３には、接続図の検索処理を行うための検索処理プログラムが実行可能な状態で格納されている。この検索処理プログラムが実行されることにより、計算機３は、キー接続データ抽出部と、接続図データ検索部を構成する。ディスプレイ４は、入力装置１を使って作成した接続図の接続データ８を表示するための表示部を構成する。ＣＡＤ装置５は、一般に市販されているＣＡＤのソフトウェアが格納され、そのソフトウェアを読み出して、図面データの入力および作図処理や、図面データの生成処理や、図面データの接続、切断、陰線処理などを実行する装置である。図面ＤＢ６は、ＣＡＤで作成した接続図の図面情報７として、過去に作成した接続図の所持する接続データが格納されている接続図データベースである。図１（ｂ）に図面情報７の例を示す。
【００１７】
また、図面ＤＢ６は、接続図においてキーとなる電子部品間の接続データを与える接続データキーを、接続データキーを含む図面に対応付けて、検索用の図面情報１４として格納している。計算機３のキー接続データ抽出部は、接続図データから選択されたキー部品の中から、少なくとも２つのキー部品間の接続データをキー接続データとして抽出する。また、接続図データ検索部は、キー接続データ抽出部で抽出されたキー接続データを検索キーとして、図面ＤＢ６の接続図データベースに格納された接続図データを探索し、少なくとも２つのキー接続データを含む接続図データを抽出する。
【００１８】
次に、動作について説明する。
図２は接続図検索装置の動作フローを示す図である。図３は接続図検索装置の動作例を示す図であり、（ａ）は接続図の作図例、（ｂ）は（ａ）の接続図から抽出した接続データキーと図面ＤＢ６に格納された検索用の図面情報１４との関係を示す図である。また、図４は主記憶装置２に読み込まれたキー部品リストのデータ構成例を示す図である。
【００１９】
図において、設計者は、入力装置１とＣＡＤ装置５を使って、図３（ａ）に示す接続図の接続データ８を作成する。このとき、図面ＤＢ６に存在する過去に作成した接続データを流用するために、図面ＤＢ６から接続データの検索を行う。以下、この場合を例にして説明する。
【００２０】
まず、設計者は、入力装置１を用いて、計算機３に接続データの検索処理の実行開始を指示する。計算機３は、この指示を受けて、作成中の接続データ８から使用しているすべての部品リストを抽出し、ディスプレイ４に表示する。
【００２１】
次に、設計者は、ディスプレイ４に表示された、作成中の接続図の接続データ８を構成する電子部品シンボル９〜１１の中で、所望の接続図を検索するために検索キーとして指定する電子部品（以下、キー部品）を選択する。例えば、入力装置１を用いて、回路特性上重要な電子部品の部品名称として、"AXXXXX"、"BXXXXX"、"CXXXXX"などを検索キーとして設定する。このように、接続図に使用している部品を検索キーに設定することにより、比較的回路特性似ているであろう図面を検索し、検索にヒットした接続データについて、設計者が利用したい回路図かどうかを確認することができる。
【００２２】
なお、キー部品リスト１５は、図面毎に生成せずに、予め共通のリストとして設けておいても良い。この場合、設計者は、接続図の接続データ８を作成中に、ＣＡＤ装置５にある検索ボタンを押して、共通のリストの中からキー部品リスト１５の検索を実行するように処理すれば良く、これにより接続データ８の作成とキー部品リスト１５の生成が同時に行われる。
【００２３】
計算機３は、設計者が順次設定したキー部品をリスト化してキー部品リスト１５を生成し、キー部品リスト１５を主記憶装置２へ読み込む（ステップｓ１）。例えば、キー部品リスト１５は、図４に示すようなものである。
【００２４】
次に、計算機３は、接続図を構成する接続データ８を主記憶装置に読み込む（ステップｓ２）。
【００２５】
計算機３は、読み込んだ接続データ８の中から、キー部品リスト１５にリストアップされたキー部品を抽出する（ステップｓ３）。
【００２６】
次いで、計算機３のキー接続データ抽出部は、接続データ８にある抽出されたキー部品について、例えば電子部品９と電子部品１１の接続情報から、接続データキー１２、１３を作成する（ステップｓ４）。この際、電子部品９と電子部品１１の間を接続するための媒介となる電子部品として、電子部品１０を抽出し、電子部品９と１０の部分的な接続データから接続データキー１２を生成し、電子部品１０と１１の部分的な接続データから接続データキー１２を生成する。
【００２７】
続いて、計算機３の接続図データ検索部は、接続データキーを用いて次のように検索処理を行う。
作成した接続データキー１２、１３を検索キーとして、図面ＤＢ６に格納されている図面情報１４を参照し、接続データキー１２、１３に対応付けされた図面を検索する（ステップｓ５）。
【００２８】
この検索の結果、ステップｓ６において、図面ＤＢ６に同じ接続データキー１２及び１３を両方とも持つ図面がない場合は、ディスプレイ４において、接続データキーに対応する図面が存在しないことを表示する（ステップｓ７）。
【００２９】
一方、この検索の結果、ステップｓ６において、図面ＤＢ６内に、接続データキー１２及び１３と同じ接続データキーを持つ図面が存在する場合、その図面を全て図面ＤＢ６から主記憶装置に順次読み込む（ステップｓ８）。この際、接続データキー１２と接続データキー１３を同時に含む接続図を抽出することができるので、比較的回路特性が似ている図面を検索するにあたり、検索結果の絞り込みが可能となる。
【００３０】
このようにして、主記憶装置に読み込んだ接続データキー１２、１３と同じ接続データキーを持つ接続図が、例えば入力装置１のボタン操作によって、順次ディスプレイ４に表示される（ステップｓ９）。設計者は、この検索によってディスプレイ４に表示される接続図を順次確認することにより、流用したい図面を簡単に選択することが可能となる。
【００３１】
以上説明したように、この実施の形態１では、任意の接続図データから選択されたキー部品の中から、少なくとも２つのキー部品間の接続データをキー接続データとして抽出するキー接続データ抽出部と、キー接続データ抽出部で抽出されたキー接続データを検索キーとして、接続図データベースに格納された接続図データを探索し、少なくとも２つのキー接続データを含む接続図データを抽出する接続図データ検索部と、接続図データ検索部により抽出された接続図データをディスプレイに表示する表示部と、を備えたことを特徴とする。
【００３２】
このように、キー部品を用いて部分的な接続データを与える接続データキーに基づいて、過去に設計した接続図の図面ＤＢを検索することにより、比較的回路特性が似ているであろう全ての接続図の中から、必要とする接続図を効率的に抽出することができる。
【００３３】
実施の形態２．
上記実施の形態１では、図面ＤＢ６の中から、設計者の作成したい接続データ８と同じ接続データキーを持つ図面の検索を行う例について説明した。この実施形態２では、更に、不具合情報と接続データキーとが関連付された不具合ＤＢ１６を作成し、図面の接続データキーに基づいて、設計者が作成中の接続図に潜む不具合の検索にも活用できる方法を示す。
【００３４】
図５は、実施の形態２の機能ブロック図を示すものである。図６は接続図検索装置の動作フローを示す図である。また、図７は接続図検索装置の動作例を示す図であり、（ａ）は接続図の作図例、（ｂ）は図５の不具合ＤＢ１６の不具合情報を示す図である。
【００３５】
図５において、接続図検索装置は、計算機３と、入力装置１と、主記憶装置２と、ディスプレイ４と、ＣＡＤ装置５と、図面データベース（図面ＤＢ）６と、不具合データベース（ＤＢ）１６を備えて構成される。
【００３６】
入力装置１は、キーボード、マウスなどから構成される。主記憶装置２は、計算機３が処理するＣＡＤの接続データや、キー部品リストデータなどを記憶している。計算機３には、接続図の検索処理を行うための検索処理プログラムが実行可能な状態で格納されている。この検索処理プログラムが実行されることにより、計算機３は、キー接続データ抽出部と、不具合データ検索部を構成する。ディスプレイ４は、入力装置１を使って作成した接続図の接続データ８を表示するための表示部を構成する。ＣＡＤ装置５は、一般に市販されているＣＡＤのソフトウェアが格納され、そのソフトウェアを読み出して、図面データの入力および作図処理や、図面データの生成処理や、図面データの接続、切断、陰線処理などを実行する装置である。図面ＤＢ６は、ＣＡＤで作成した接続図の図面情報として、過去に作成した接続図の所持する接続データが格納されている接続図データベースである。
【００３７】
また、図面ＤＢ６は、接続図においてキーとなる電子部品間の接続データを与える接続データキーを、接続データキーを含む図面に対応付けて、検索用の図面情報として格納している。不具合ＤＢ１６には、不具合の情報と接続データキーとが対応付けされて、不具合情報２０として格納されている。計算機３のキー接続データ抽出部は、接続図データから選択されたキー部品の中から、少なくとも２つのキー部品間の接続データをキー接続データとして抽出する。計算機３の不具合データ検索部は、キー接続データ抽出部で抽出されたキー接続データを検索キーとして、不具合ＤＢ１６の不具合データを探索し、キー接続データに対応した不具合データを抽出する。
【００３８】
まず、設計者は、入力装置１を用いて、計算機３に不具合データの検索処理の実行開始を指示する。計算機３は、この指示を受けて、作成中の接続データ８から使用しているすべての部品リストを抽出し、ディスプレイ４に表示する。
【００３９】
次に、設計者は、ディスプレイ４に表示された、作成中の接続図の接続データ８を構成する電子部品シンボル９〜１１の中で、所望の不具合を検索するために検索キーとして指定する電子部品（以下、キー部品）を選択する。例えば、入力装置１を用いて、回路特性上重要な電子部品の部品名称として、"AXXXXX"、"BXXXXX"、"CXXXXX"などを検索キーとして設定する。このように、接続図に使用している部品を検索キーに設定することにより、比較的回路特性似ているであろう図面を検索し、検索にヒットした接続データについて、設計者が利用したい回路図かどうかを確認することができる。
【００４０】
なお、キー部品リスト１５は、図面毎に生成せずに、予め共通のリストとして設けておいても良い。この場合、設計者は、接続図の接続データ８を作成中に、ＣＡＤ装置５にある検索ボタンを押して、共通のリストの中からキー部品リスト１５の検索を実行するように処理すれば良く、これにより接続データ８の作成とキー部品リスト１５の生成が同時に行われる。
【００４１】
計算機３は、設計者が順次設定したキー部品をリスト化してキー部品リスト１５を生成し、図４に示したようなキー部品リスト１５を主記憶装置２へ読み込む（ステップｓ１０）。
【００４２】
次に、計算機３は、接続図を構成する接続データ８を主記憶装置に読み込む（ステップｓ１１）。
ここで、読み込んだ接続データ１７の中から、キー部品リスト１５にリストアップされたキー部品を抽出する（ステップｓ１２）。
【００４３】
次いで、計算機３のキー接続データ抽出部は、接続データ１７から抽出したキー部品である電子部品９と電子部品１１の接続情報から、接続データキー１８、１９を作成する（ステップｓ１３）。この際、電子部品９と電子部品１１の間を接続するための媒介となる電子部品として、電子部品１０を抽出し、電子部品９と１０の部分的な接続データから接続データキー１８を生成し、電子部品１０と１１の部分的な接続データから接続データキー１９を生成する。
【００４４】
ここで、計算機３の不具合データ検索部は、作成した接続データキー１８または１９の何れか一方を検索キーとして、不具合ＤＢ１６を検索し、不具合情報２０を抽出する（ステップｓ１４）。
【００４５】
この検索の結果、不具合ＤＢ１６に同じ接続データキーを持つ不具合情報がない（ステップｓ１５）場合は、ディスプレイ４において、接続データキーに対応する図面が存在しないことを表示する（ステップｓ１６）。
【００４６】
一方、この検索の結果、不具合ＤＢ１６内に、検索キーである接続データキー１８または１９の何れか一方と同じ接続データキーを持つ不具合情報が存在する（ステップｓ１５）場合は、その全ての不具合情報を不具合ＤＢ１６から主記憶装置に順次読み込む（ステップｓ１７）。
【００４７】
このようにして、主記憶装置に読み込んだ接続データキー１８または１９と同じ接続データキーを持つ接続図の不具合情報が、例えば入力装置１のボタン操作によって、順次ディスプレイ４に表示される（ステップｓ１８）。設計者は、この検索によって、ディスプレイ４に表示されるキー接続データに対応した不具合情報（不具合データ）を、順次確認することにより、接続データに対応した過去の不具合事象に基づく不具合情報を簡単に閲覧することが可能となる。
【００４８】
例えば、図７（ｂ）の例では、接続データキー１８に対応して、過去にこの接続部分によって信号が反転し、動作不良となったことを示す不具合情報が出力される。また、接続データキー１９に対応して、過去にこの接続部分によってＩＣが熱を帯び、破損したことを示す不具合情報が出力される。
【００４９】
以上説明したように、この実施の形態２では、任意の接続図データから選択されたキー部品の中から、少なくとも２つのキー部品間の接続データをキー接続データとして抽出するキー接続データ抽出部と、キー接続データ抽出部で抽出されたキー接続データを検索キーとして、不具合データベースの不具合データを探索し、キー接続データに対応した不具合データを抽出する不具合データ検索部と、接続図データ検索部により抽出された不具合データを、キー接続データに対応付けてディスプレイに表示する表示部と、を備えたことを特徴とする。
【００５０】
このように、キー部品を用いて部分的な接続データを与える接続データキーに基づいて、過去に設計した接続図の図面ＤＢを検索することにより、比較的回路特性が似ているであろう接続図の中から、必要とする不具合事象を効率的に抽出することができる。
【図面の簡単な説明】
【００５１】
【図１】この発明の実施形態１による接続図検索装置の、（ａ）機能ブロック図、（ｂ）図面ＤＢの図面情報を示す図である。である。
【図２】この発明の実施形態１によるフローチャートである。
【図３】この発明の実施形態１による、（ａ）接続図の接続データを示す図、（ｂ）接続データキーと検索用の図面ＤＢを示す図である。
【図４】この発明の実施形態１によるキー部品リストである。
【図５】この発明の実施形態２による接続図検索装置の機能ブロック図である。
【図６】この発明の実施形態２によるフローチャートである。
【図７】この発明の実施形態２による、（ａ）接続図の接続データを示す図、（ｂ）接続データキーと検索用の不具合ＤＢを示す図である。
【符号の説明】
【００５２】
１  入力装置、２  主記憶装置、３  計算機、４  ディスプレイ、５  ＣＡＤ装置、６  図面ＤＢ、７  図面情報、８  接続データ、９  キー部品、１０  キー部品、１１  キー部品、１２  接続データキー、１３  接続データキー、１４  図面情報、１５  キー部品リスト、１６  不具合ＤＢ、１７  接続図、１８  接続データキー、１９  接続データキー、２０  不具合情報。
【図１】
2008242588.tif 000003
【図２】
2008242588.tif 000004
【図３】
2008242588.tif 000005
【図４】
2008242588.tif 000006
【図５】
2008242588.tif 000007
【図６】
2008242588.tif 000008
【図７】
2008242588.tif 000009